(57)【要約】【課題】  専門的な採寸技術のないユーザでも簡単に取り扱え、繰り返し使用可能な身体測定装置及び身体測定システムを提供する。【解決手段】  身体測定装置１０は、伸縮可能な素材で構成され履物の足底部分以外の部分を形成する本体部１と、伸縮可能な素材で構成され履物形状の足底部分を形成する足底部２と、ソックスの履き口となる開口部を形成する履き口部３と、ユーザの足のサイズ及び形状の測定値の処理等を実行する測定処理部４とを有して構成される。【選択図】        図２
2018108309.tif 000002
【特許請求の範囲】
【請求項１】
ユーザが装着することにより、該ユーザの装着した身体部分のサイズ及び形状を特定する身体測定装置であって、
電気的特性の変化に基づいて物理的変化量を測定する測定センサを有し、
前記測定センサは、ユーザの身体から付与される圧力を測定する圧力型の測定センサと、ユーザの身体の形状に起因する基材の伸長の程度を測定する伸縮型の測定センサとの少なくとも一方を含むことを特徴とする身体測定装置。
【請求項２】
ユーザが装着することにより、該ユーザの足のサイズ及び形状を特定する身体測定装置であって、
電気的特性の変化に基づいて物理的な変化量を測定する測定センサを有し、
前記測定センサは、ユーザの足裏から付与される圧力を測定する圧力型の測定センサと、ユーザの足の形状に起因する基材の伸長の程度を測定する伸縮型の測定センサとを含むことを特徴とする身体測定装置。
【請求項３】
前記身体測定装置は履物形状に形成されており、
前記圧力型の測定センサは、足裏の部分に配置され、ユーザの足裏の重力方向に働く圧力を測定することを特徴とする請求項２記載の身体測定装置。
【請求項４】
前記身体測定装置は履物形状に形成されており、
前記伸縮型の測定センサは、足裏の指先部分に配置され、ユーザの指先の長さに起因した基材の伸長の程度を測定することを特徴とする請求項２又は３記載の身体測定装置。
【請求項５】
前記身体測定装置は履物形状に形成されており、
前記伸縮型の測定センサは、足囲方向に沿って配置され、ユーザの足囲に起因した基材の伸長の程度を測定することを特徴とする請求項２から４のいずれか１項に記載の身体測定装置。
【請求項６】
前記身体測定装置は履物形状に形成されており、
前記伸縮型の測定センサは、伸縮可能な帯状に形成され、
前記伸縮型の測定センサの端部には非伸縮性の部材が結合されて足裏の部分を形成することを特徴とする請求項２記載の身体測定装置。
【請求項７】
前記身体測定装置は履物形状に形成されており、
前記伸縮型の測定センサは、足長方向に伸縮可能な帯状に形成され、
前記伸縮型の測定センサの足長方向の両端には非伸縮性の部材が結合されて足裏の部分を形成することを特徴とする請求項２記載の身体測定装置。
【請求項８】
前記圧力型の測定センサは、
複数の板状電極が配置された一対の電極基盤と、
前記一対の電極基盤間に配置された誘電膜とを有し、
前記電極に圧力が加えられると、該圧力に起因する静電容量の変化に基づいて、該足裏から加えられる圧力の大きさを特定することを特徴とする請求項２から７のいずれか１項に記載の身体測定装置。
【請求項９】
前記圧力型の測定センサは、
複数の板状電極が略平行に配置された一対の電極基盤と、
導電性物質を含有する感圧材とを有し、
前記一対の電極基盤はそれぞれの電極が互いに直交するよう対向して配置され、前記感圧材は前記一対の電極基盤の対向面側を被覆し、前記電極の交差部分に圧力が加えられると、該圧力に起因する電気抵抗値の変化に基づいて、該足裏から加えられる圧力の大きさを特定することを特徴とする請求項２から７のいずれか１項に記載の身体測定装置。
【請求項１０】
前記伸縮型の測定センサは、
板状の一対の電極と、
前記一対の電極間に配置された誘電膜とを有し、
前記電極に張力が加えられ伸長すると、該電極の伸長に起因する静電容量の変化に基づいて、ユーザの身体の形状に起因した電極の伸長の程度を特定することを特徴とする請求項２から７のいずれか１項に記載の身体測定装置。
【請求項１１】
前記伸縮型の測定センサは、
伸縮性を備えた板状の電極を有し、
前記電極に張力が加えられ伸長すると、該電極の伸長に起因する電気抵抗値の変化に基づいて、ユーザの身体の形状に起因した電極の伸長の程度を特定することを特徴とする請求項２から７のいずれか１項に記載の身体測定装置。
【請求項１２】
前記請求項１に記載の身体測定装置と、
前記測定センサにより測定された物理的変化量を表すデータを前記身体測定装置から取得するユーザ端末と、
身体に装着する物品のサイズ及び形状を管理するデータベースを備えた管理サーバとを有し、
前記ユーザ端末は、前記物理的変化量を表すデータを前記身体測定装置から取得すると、該取得した物理的変化量を表すデータを前記管理サーバへ送信し、
前記管理サーバは、前記物理的変化量を表すデータを前記ユーザ端末から受信すると、前記データベースを参照し、該受信した物理的変化量を表すデータに合致した前記物品を検索し、該検索結果を前記ユーザ端末へ送信することを特徴とする身体測定システム。
【請求項１３】
前記請求項２から１１のいずれか１項に記載の身体測定装置と、
前記測定センサにより測定された物理的変化量を表すデータを前記身体測定装置から取得するユーザ端末と、
履物のサイズ及び形状を管理するデータベースを備えた管理サーバとを有し、
前記ユーザ端末は、前記物理的変化量を表すデータを前記身体測定装置から取得すると、該取得した物理的変化量を表すデータを前記管理サーバへ送信し、
前記管理サーバは、前記物理的変化量を表すデータを前記ユーザ端末から受信すると、前記データベースを参照し、該受信した物理的変化量を表すデータに合致した履物を検索し、該検索結果を前記ユーザ端末へ送信することを特徴とする身体測定システム。
【発明の詳細な説明】
【技術分野】
【０００１】
本発明は、身体測定装置及び身体測定システムに関し、特に、ユーザの身体に装着しその装着した部分のサイズ等を測定する身体測定装置及び身体測定システムに関する。
【背景技術】
【０００２】
近年、インターネット技術の普及により、ＥＣサイトは多種多様な商品を取り扱うようになり、またその売上げは増加の一途を辿っている。
ユーザは、ＰＣや携帯端末等を用いてＥＣサイト上で商品を注文し、その後、配達される商品を、実店舗を訪れることなく自宅で受け取ることができるという便利さもあって、そのユーザ数も大幅に増加している。
上記ＥＣサイトの中には、衣服、帽子及び履物等のアパレル系商品を取り扱うものも数多くあり、その利用者数は実店舗に迫る勢いである。
【０００３】
しかしながら、上記アパレル系商品を購入の際には、その商品が実際にユーザの身体のサイズや形状に合っているかどうかが不明な場合があり、ユーザは商品を受け取った後に、試着し、自身のサイズ等に合わない場合には、商品を返品し、異なるサイズの商品を再注文する必要があった。
【０００４】
上記問題点を解決するための従来技術の１つとして、特許文献１が開示するところの靴製作用の測定キットが提案されている。
特許文献１に開示される靴製作用の測定キットは、弾性を有しない可変材を備えており、該足を載せることによって圧縮荷重を受け、塑性変形に基づき、表面に少なくとも該足の足裏面に対応した凹凸を形成可能である足型取り器と、少なくとも足外形よりも若干前側に伸びた形状を備えており、該足が載せられる基板と、該基板の後部外周に付設され、該足の踵を囲んで保持可能な踵止めと、該基板の前部表面に表示され、該足の足長サイズの測定に用いる目盛表示と、該基板の中央部に設けられ、少なくとも該足の表面の高さ周りデータを採取可能なメジャーとを有している測定器とを別体で備えるものである。
ユーザは、上記特許文献１の靴製作用の測定キットを用いることにより、靴製作現場における作業者のもとに出向くことなく、オーダーメイドの靴を通信販売で購入することができる。
【先行技術文献】
【特許文献】
【０００５】
【特許文献１】特開２０１２−２１７５２７
【発明の概要】
【発明が解決しようとする課題】
【０００６】
しかしながら、上記特許文献１の靴製作用の測定キットを用いた場合、一般的なユーザは、専門的な採寸技術が不足しているために、足型の取り方及びメジャーの当て方等の点において各ユーザ間で採寸の基準にバラつきがあり、精度よく採寸できないという問題点がある。
また、足型取り器は１度足型を取ると、その形状を維持するものであるから、上手に採寸が取れなかった場合、又は成長により本人のサイズが変わった場合に再度採寸することが不可能であるという問題もある。
【０００７】
本発明は、上記問題点に鑑みてなされたものであり、専門的な採寸技術のないユーザでも簡単に取り扱え、繰り返し使用可能な身体測定装置及び身体測定システムを提供することを目的とする。
【課題を解決するための手段】
【０００８】
かかる目的を達成するため、本発明は、ユーザが装着することにより、ユーザの装着した身体部分のサイズ及び形状を特定する身体測定装置であって、電気的特性の変化に基づいて物理的変化量を測定する測定センサを有し、測定センサは、ユーザの身体から付与される圧力を測定する圧力型の測定センサと、ユーザの身体の形状に起因する基材の伸長の程度を測定する伸縮型の測定センサとの少なくとも一方を含むことを特徴とする。
【０００９】
また、本発明は、ユーザが装着することにより、ユーザの足のサイズ及び形状を特定する身体測定装置であって、電気的特性の変化に基づいて物理的な変化量を測定する測定センサを有し、測定センサは、ユーザの足裏から付与される圧力を測定する圧力型の測定センサと、ユーザの足の形状に起因する基材の伸長の程度を測定する伸縮型の測定センサとを含むことを特徴とする。
【００１０】
また、本発明における身体測定装置は、履物形状に形成されており、圧力型の測定センサは、足裏の部分に配置され、ユーザの足裏の重力方向に働く圧力を測定することを特徴とする。
【００１１】
また、本発明における身体測定装置は、履物形状に形成されており、伸縮型の測定センサは、足裏の指先部分に配置され、ユーザの指先の長さに起因した基材の伸長の程度を測定することを特徴とする。
【００１２】
また、本発明における身体測定装置は、履物形状に形成されており、伸縮型の測定センサは、足囲方向に沿って配置され、ユーザの足囲に起因した基材の伸長の程度を測定することを特徴とする。
【００１３】
また、本発明における身体測定装置は、履物形状に形成されており、伸縮型の測定センサは、伸縮可能な帯状に形成され、伸縮型の測定センサの端部には非伸縮性の部材が結合されて足裏の部分を形成することを特徴とする。
【００１４】
また、本発明における身体測定装置は、履物形状に形成されており、伸縮型の測定センサは、足長方向に伸縮可能な帯状に形成され、伸縮型の測定センサの足長方向の両端には非伸縮性の部材が結合されて足裏の部分を形成することを特徴とする。
【００１５】
また、本発明における身体測定装置によれば、圧力型の測定センサは、複数の板状電極が配置された一対の電極基盤と、一対の電極基盤間に配置された誘電膜とを有し、電極に圧力が加えられると、圧力に起因する静電容量の変化に基づいて、足裏から加えられる圧力の大きさを特定することを特徴とする。
【００１６】
また、本発明における身体測定装置によれば、圧力型の測定センサは、複数の板状電極が略平行に配置された一対の電極基盤と、導電性物質を含有する感圧材とを有し、一対の電極基盤はそれぞれの電極が互いに直交するよう対向して配置され、感圧材は一対の電極基盤の対向面側を被覆し、電極の交差部分に圧力が加えられると、圧力に起因する電気抵抗値の変化に基づいて、足裏から加えられる圧力の大きさを特定することを特徴とする。
【００１７】
また、本発明における身体測定装置によれば、伸縮型の測定センサは、板状の一対の電極と、一対の電極間に配置された誘電膜とを有し、電極に張力が加えられ伸長すると、電極の伸長に起因する静電容量の変化に基づいて、ユーザの身体の形状に起因した電極の伸長の程度を特定することを特徴とする。
【００１８】
また、本発明における身体測定装置によれば、伸縮型の測定センサは、伸縮性を備えた板状の電極を有し、電極に張力が加えられ伸長すると、電極の伸長に起因する電気抵抗値の変化に基づいて、ユーザの身体の形状に起因した電極の伸長の程度を特定することを特徴とする。
【００１９】
また、本発明における身体測定システムは、上記の身体測定装置と、測定センサにより測定された物理的変化量を表すデータを身体測定装置から取得するユーザ端末と、身体に装着する物品のサイズ及び形状を管理するデータベースを備えた管理サーバとを有し、ユーザ端末は、物理的変化量を表すデータを身体測定装置から取得すると、取得した物理的変化量を表すデータを管理サーバへ送信し、管理サーバは、物理的変化量を表すデータをユーザ端末から受信すると、データベースを参照し、受信した物理的変化量を表すデータに合致した物品を検索し、検索結果をユーザ端末へ送信することを特徴とする。
【００２０】
また、本発明における身体測定システムは、上記の身体測定装置と、測定センサにより測定された物理的変化量を表すデータを身体測定装置から取得するユーザ端末と、履物のサイズ及び形状を管理するデータベースを備えた管理サーバとを有し、ユーザ端末は、物理的変化量を表すデータを身体測定装置から取得すると、取得した物理的変化量を表すデータを管理サーバへ送信し、管理サーバは、物理的変化量を表すデータをユーザ端末から受信すると、データベースを参照し、受信した物理的変化量を表すデータに合致した履物を検索し、検索結果をユーザ端末へ送信することを特徴とする。
【００２１】
なお、以上の構成要素の任意の組合せや、本発明の構成要素や表現を方法、装置、システム、コンピュータプログラム、コンピュータプログラムを格納した記録媒体などの間で相互に置換したものもまた、本発明の態様として有効である。
【発明の効果】
【００２２】
本発明は、ユーザが装着することにより、ユーザの装着した身体部分のサイズ及び形状を特定する身体測定装置であって、電気的特性の変化に基づいて物理的変化量を測定する測定センサを有し、測定センサは、ユーザの身体から付与される圧力を測定する圧力型の測定センサと、ユーザの身体の形状に起因する基材の伸長の程度を測定する伸縮型の測定センサとを含むので、専門的な採寸技術のないユーザでも簡単に取り扱え、繰り返し採寸することが可能となる。
【図面の簡単な説明】
【００２３】
【図１】本発明の実施の形態における身体測定システムの構成を示す図である。
【図２】本発明の第１の実施の形態における身体測定装置の外観構成図である。
【図３】本発明の第１の実施の形態における身体測定装置のブロック構成図である。
【図４】本発明の第１の実施の形態における一般的な圧力型の測定センサの原理を説明するための断面模式図であって、（ａ）は圧力がかかっていない状態を示す図であり、（ｂ）は垂直下方へ圧力がかかっている状態を示す図である。
【図５】本発明の第１の実施の形態における身体測定装置に用いられる圧力型の測定センサの構成の一例を示す分解図である。
【図６】本発明の第１の実施の形態における身体測定装置に用いられる帯状の伸縮型の測定センサの構成の一例を示す断面模式図であって、（ａ）は伸長していない状態を示す図であり、（ｂ）は面方向に伸長している状態を示す図である。
【図７】本発明の第１の実施の形態における履物形状の身体測定装置の左足の足底部の測定センサの取付け位置の一例を示す図である。
【図８】本発明の第１の実施の形態における身体測定装置の本体部の足囲方向の測定センサの取付け位置の一例を示す側面図である。
【図９】本発明の第１の実施の形態における身体測定装置の本体部の足囲方向の測定センサの取付け位置の一例を示す平面図である。
【図１０】本発明の第１の実施の形態における環状の伸縮型の測定センサの他の例を示す図である。
【図１１】本発明の第１の実施の形態におけるユーザ端末の構成を示すブロック図である。
【図１２】本発明の第１の実施の形態における足裏の接地マップの一例を示す図である。
【図１３】本発明の第１の実施の形態における上記接地マップに基づいて足裏のサイズを検出した様子を示す図である。
【図１４】本発明の第１の実施の形態におけるかかとから薬指先までの長さの算出方法の一例を示す図である。
【図１５】本発明の第１の実施の形態における管理サーバの構成を示すブロック図である。
【図１６】本発明の第１の実施の形態におけるユーザ測定ＤＢのデータ構成の一例を示す図である。
【図１７】本発明の第１の実施の形態における履物ＤＢのデータ構成の一例を示す図である。
【図１８】本発明の第１の実施の形態における身体測定システムによるユーザの足のサイズ等の測定動作の流れを示すシーケンスチャートである。
【図１９】本発明の第１の実施の形態における身体測定システムによるユーザの足のサイズ等の測定動作の流れを示すシーケンスチャートである。
【図２０】本発明の第１の実施の形態の変形例における履物形状の身体測定装置の左足の足底部の測定センサの取付け位置の一例を示す図である。
【図２１】本発明の第２の実施の形態における身体測定装置に用いられる圧力型の測定センサの構成の一例を示す分解図である。
【図２２】本発明の第２の実施の形態における圧力型の測定センサの構成を示す断面側面図である。
【発明を実施するための形態】
【００２４】
＜第１の実施の形態＞
〔１〕第１の実施の形態の概要
本発明の第１の実施の形態における身体測定装置１０はユーザが身体に装着することにより、その装着した身体のサイズと形状を測定するものである。
ユーザ端末２０は、その身体のサイズ等のデータを身体測定装置１０から取得すると、当該取得したデータを管理サーバ３０へ送信する。
管理サーバ３０は、そのデータを受信すると、自身に備えられたデータベースを参照して、ユーザの身体のサイズや形状に合致した物品、例えばアパレル系商品（衣服、履物、帽子、アクセサリー等）の検索を行い、その検索結果をユーザ端末２０へ提供する。
ユーザは、ユーザ端末２０を用いて、その検索結果を閲覧し、その検索結果に示されたアパレル系商品をＥＣサイトで、注文することができる。
【００２５】
〔２〕第１の実施の形態の構成
（１）身体測定システムの全体構成
図１は、本発明の実施の形態における身体測定システムの構成を示す図である。
図に示すように、身体測定システムは、ユーザの身体に装着してユーザの身体のサイズを測定する身体測定装置１０と、身体を測定するユーザが操作するユーザ端末２０と、身体測定装置１０により測定されたユーザの身体のサイズや形状の情報及び履物のサイズや形状の情報等を管理する管理サーバ３０とを有して構成される。
【００２６】
身体測定装置１０とユーザ端末２０とは、ネットワークを介して通信可能に接続されており、例えば、赤外線、Ｗｉ−Ｆｉ又はＢｌｕｅｔｏｏｔｈ（登録商標）等の近距離無線通信で接続される。
ユーザ端末２０は、身体測定装置１０が測定したユーザの身体のサイズの情報を含むユーザ測定情報をネットワークを介して身体測定装置１０から受信して取得することができる。
【００２７】
管理サーバ３０とユーザ端末２０とは、ネットワークを介して通信可能に接続されており、例えば、インターネット又はＬＡＮ等のネットワークを介して接続される。
ユーザ端末２０は、上記身体測定装置１０から取得したユーザ測定情報をネットワークを介して管理サーバ３０へ送信する。
管理サーバ３０は、ユーザ測定情報をユーザ端末２０から受信すると、自身に備えられているデータベースに格納する。
また、管理サーバ３０は、ユーザ端末２０に対して、ユーザの足のサイズに合った履物の情報を送信する。
【００２８】
身体測定装置１０は、ユーザの身体のサイズ及び形状を測定するものであり、その測定対象となる身体の部位は特に限定しないが、本実施の形態では、一例として、ソックス等の履物の形状をなしており、ユーザの足のサイズ及び形状を測定するものとし、管理サーバ３０は、ユーザの足のサイズ及び形状に合った履物（靴、ソックス等）の情報を提供するものとする。
【００２９】
（２）身体測定装置１０の構成
（身体測定装置１０の全体構成）
身体測定装置１０は、ソックス等の履物形状をなしており、全体として、伸縮自在な繊維等の素材で構成されている。ユーザが履物を履くように身体測定装置１０を自身の足に装着すると、身体測定装置１０はユーザの足のサイズ及び形状に合わせて伸長し、その足のサイズ及び形状を測定する。
ユーザが履物を脱ぐように身体測定装置１０を取り外すと、身体測定装置１０は元のサイズ及び形状に復元する。
【００３０】
図２は、本発明の第１の実施の形態における身体測定装置１０の外観構成図である。
図に示すように、身体測定装置１０は、伸縮可能な素材で構成され履物の足底部分以外の本体部分を形成する本体部１と、伸縮可能な素材で構成され履物の足底部分を形成する足底部２と、伸縮可能な素材で構成され履物の履き口となる開口部を形成する履き口部３と、ユーザの足のサイズ及び形状の測定値の処理等を実行する測定処理部４とを有して構成される。
上記本体部１、足底部２及び履き口部３の伸縮可能な素材としては、例えば、スパンデックス（ポリウレタン弾性繊維）をポリエステル又はコットン等の非伸縮性の他の素材と混紡した合成繊維等が用いられ、その伸縮性及び弾力性が確保できるものであれば一般に衣類等に用いられる他の素材であってもよい。
【００３１】
図３は、本発明の第１の実施の形態における身体測定装置１０のブロック構成図である。
図に示すように、身体測定装置１０の測定処理部４は、ＣＰＵ等により構成され身体測定装置１０全体を制御する制御部１１と、ＲＯＭ、ＲＡＭ等により構成されユーザ測定情報等を格納する情報格納部１２と、近距離無線通信等によりユーザ端末２０と通信を行う通信部１３と、後述の測定センサの測定値を検出する検出部１４と、ユーザの身体のサイズや形状等を測定する１以上の測定センサから構成される測定部１５とを有して構成される。
【００３２】
検出部１４は、測定部１５（測定センサ）により測定されたユーザの身体のサイズや形状等を示すアナログ信号をデジタル信号に変換して制御部１１へ入力する。
【００３３】
測定部１５は、測定センサにより構成され、その測定センサは電気的特性の変化に基づいて物理的変化量を測定するものであり、本体部１及び足底部２に設けられる。
測定センサには圧力型と伸縮型があり、計測する身体の部位に応じて使い分けられる。
以下、圧力型及び伸縮型の測定センサの構成についてそれぞれ詳細に説明する。
【００３４】
（圧力型の測定センサ）
図４は、本発明の第１の実施の形態における一般的な圧力型の測定センサの原理を説明するための断面模式図であって、（ａ）は圧力がかかっていない状態を示す図であり、（ｂ）は垂直下方へ圧力がかかっている状態を示す図である。
以下、本図を用いて、本実施の形態における身体測定装置１０において用いられる圧力型の測定センサ１１００の構成を説明する前に、一般的な圧力型の測定センサ１０００の構造について説明する。
【００３５】
図に示すように、測定センサ１０００は、誘電膜１００１と、誘電膜１００１の表裏両面にそれぞれ固定される電極１００２，１００３とを有して構成される。
【００３６】
誘電膜１００１はシート状を形成しており、弾性変形可能に構成される。
誘電膜１００１を構成する素材としては主としてエラストマーから構成され、例えばエラストマーとしては、シリコーンゴム、アクリロニトリル−ブタジエン共重合ゴム、アクリルゴム、エピクロロヒドリンゴム、クロロスルホン化ポリエチレン、塩素化ポリエチレン、ウレタンゴム等を用いることが可能である。
【００３７】
電極１００２，１００３もまた誘電膜１００１と同様に、シート状を形成しており、弾性変形可能に構成される。
電極１００２，１００３を構成する素材としては主としてエラストマーから構成され、例えばエラストマーとしては、シリコーンゴム、エチレン−プロピレン共重合ゴム、天然ゴム、スチレン−ブタジエン共重合ゴム、アクリロニトリル−ブタジエン共重合ゴム、アクリルゴム、エピクロロヒドリンゴム、クロロスルホン化ポリエチレン、塩素化ポリエチレン、ウレタンゴム等を用いることが可能である。
【００３８】
測定センサ１０００の静電容量Ｃは、下記の式により求めることができる。
Ｃ＝ε・Ｓ／ｄ        ・・・式（１）
（Ｃ：静電容量，ε：誘電比率，Ｓ：電極１００２（電極１００３）の面積，ｄ：電極１００２，１００３間の距離）
【００３９】
図４の（ａ），（ｂ）に示すように、例えば、測定センサ１０００の表側の電極１００２に対して垂直下方向に力が加わると、誘電膜１００１及び電極１００２，１００３の面積Ｓがわずかに拡張するとともに、その誘電膜１００１の力の加わった部分の膜厚が小さくなり、これに伴って電極１００２，１００３間の距離ｄが小さくなる。
そうすると、上記式（１）より、電極１００２，１００３間の静電容量Ｃは増加する。
この静電容量Ｃの変化に基づいて、上記加えられた垂直下方向への荷重の大きさを検出することができる。
【００４０】
次に、上述の一般的な圧力型の測定センサ１０００を本実施の形態における身体測定装置１０に適用した例を説明する。
図５は、本発明の第１の実施の形態における身体測定装置１０に用いられる圧力型の測定センサ１１００の構成の一例を示す分解図である。
測定センサ１１００は、上述の圧力型の測定センサ１０００を複数配置して構成される。図５の例において、圧力型の測定センサ１１００には縦横各５列・計２５個の圧力型の測定センサ１０００が同一平面上に格子状に配置されている。
【００４１】
図に示すように、測定センサ１１００は、誘電膜基盤１１１０と、互いに対向する一対の電極基盤１１２０，１１３０とを有して構成される。
なお、本図では説明のために、誘電膜基盤１１１０及び電極基盤１１２０，１１３０は分離して表されているが、実際には、各測定センサ１０００において誘電膜１００１の表裏両面にそれぞれ電極１００２，１００３が結合するように、誘電膜基盤１１１０の表裏両面にそれぞれ電極基盤１１２０，１１３０が固定されて構成される。
【００４２】
電極基盤１１２０には、縦横各５列・計２５個の電極１００２が格子状に配置されており、各電極１００２は誘電膜基盤１１１０における各誘電膜１００１に一対一に直接取り付けられている。
また、電極基盤１１３０にも同様に、縦横各５列・計２５個の電極１００２が格子状に配置されており、各電極１００３は誘電膜基盤１１１０における各誘電膜１００１に一対一に直接取り付けられている。
このように、各誘電膜１００１の表裏両面にそれぞれ各電極１００２，１００３が一対一に取り付けられることにより、測定センサ１１００は、独立した複数の測定センサ１０００を備えた構成となる。
【００４３】
電極基盤１１２０の各電極１００２にはそれぞれ配線１１４０一端が個別に接続され、それら各配線１１４０の他端は検出部１４に接続されている。
電極基盤１１３０の各電極１００３にはそれぞれ配線１１５０一端が個別に接続され、それら各配線１１５０の他端は検出部１４に接続されている。
このように、各測定センサ１０００における電極１００２，１００３は、それぞれ他の測定センサ１０００とは独立して配線１１４０，１１５０を介して検出部１４に接続されている。
なお、図５では、横５列のうち最も上の列の電極１００２，１００３以外の他の電極１００２，１００３に接続される配線１１４０，１１５０が省略されているが、最も上の列の電極１００２，１００３と同様に配線１１４０，１１５０が接続されているものとする。
【００４４】
上述のとおり、測定センサ１１００には、複数の圧力型の測定センサ１０００が同一平面上に配置されており、検出部１４は各測定センサ１０００の静電容量を検出する。
【００４５】
検出部１４は、電源回路を有しており、上記各測定センサ１０００の静電容量を検出するにあたり、表裏両側の電極１００２，１００３間に電圧が周期的に変動する正弦波波形をなす測定信号を入力すると、その出力として得られる測定センサ１０００を通過した電流を電流電圧変換した検出信号は、測定信号と同じ周波数の正弦波波形となる。
上記検出部１４が得た検出信号の値は情報格納部１２に格納される。
この検出信号は測定センサ１０００の静電容量に応じて波形の振幅が変化するので、振幅を測定することにより、電極１００２，１００３間の静電容量を測定（算定）することできる。
これにより、検出部１４は測定センサ１１００のうち、どの測定センサ１０００の配置位置にどれくらいの圧力が加わったかを検出することが可能となる。
【００４６】
なお、図５に示した測定センサ１１００はあくまでも一例であり、例えば、電極及び誘電膜の数、間隔、大きさ、形状又は配置パターン等は特に限定しない。
【００４７】
（伸縮型の測定センサ）
上述したように、圧力型の測定センサ１１００は、電極面に略垂直に圧力が加わったときに静電容量が変化し、その変化量を計測することにより、測定センサ１１００に加わった圧力を測定できるというものである。
また、上記電極と誘電膜を用いた測定センサは、面方向に伸長させた場合にも静電容量が変化するので、その静電容量の変化量を計測することにより、測定センサがどれくらい物理的に伸長したかを測定する伸縮型の測定センサとしても用いることができる。
以下、身体測定装置１０に設けられる伸長型の測定センサ１２００の構成について説明する。
【００４８】
図６は、本発明の第１の実施の形態における身体測定装置１０に用いられる帯状の伸縮型の測定センサ１２００の構成の一例を示す断面模式図であって、（ａ）は伸長していない状態を示す図であり、（ｂ）は面方向に伸長している状態を示す図である。
【００４９】
図６の（ａ），（ｂ）に示すように、例えば、測定センサ１２００の電極１２０２，１２０３の面方向に対して伸長させる方向に力が加わると、誘電膜１２０１及び電極１２０２，１２０３の面積Ｓが拡張するとともに、誘電膜１２０１の膜厚が小さくなり、これに伴って電極１２０２，１２０３間の距離ｄが小さくなる。この変化によって、上述の式（１）より、電極１２０２，１２０３間の静電容量Ｃは増加する。
【００５０】
本実施の形態では、上記帯形状の伸縮型の測定センサ１２００は、ユーザが身体測定装置１０を装着したときに、帯長さ方向にほぼ直線的に伸長するように本体部１及び足底部２に設けられる。
【００５１】
各電極１２０２，１２０３には配線の一端が接続され、その配線の他端は検出部１４に接続されている。
【００５２】
検出部１４は、圧力型の測定センサ１１００の場合と同様に、測定センサ１２００から検出信号を入力すると、当該検出信号の値は情報格納部１２に格納される。
この検出信号は電極１２０２，１２０３間の静電容量に応じて波形の振幅が変化するので、振幅を測定することにより、両電極１２０２，１２０３間の静電容量を測定（算定）することできる。
【００５３】
（測定センサの取付け例）
身体測定装置１０の足底部２には、上述の圧力型の測定センサ１１００及び伸縮型の測定センサ１２００が設けられる。
図７は、本発明の第１の実施の形態における身体測定装置１０の左足の足底部２の測定センサの取付け位置の一例を示す図である。
以下、本図を用いて、身体測定装置１０の足底部２の測定センサの配置及び作用動作について説明する。
【００５４】
図に示す例では、身体測定装置１０の足底部２には、測定センサ１５０１〜１５１１が配置されており、このうち、測定センサ１５０１〜１５０５は伸縮型の測定センサ１２００であり、測定センサ１５０６〜１５１１は圧力型の測定センサ１１００である。
なお、本図には表れていないが、各測定センサ１５０１〜１５１１は配線を介して検出部１４に接続されており、制御部１１は、上述の方法と同様の方法により、各測定センサ１５０１〜１５１１における静電容量の値を算定する。
【００５５】
（測定センサ１５０１〜１５０５）
測定センサ１５０１〜１５０５は、足底のつま先側に各指の位置に対応するよう配置されている。図の例では、測定センサ１５０１〜１５０５は、それぞれ親指、人差し指、中指、薬指、小指の位置に対応している。
人間の足の指の長さは個人個人で異なっており、例えば、親指、人差し指、中指がほぼ同じ長さのローマ型、人差し指が最長のギリシャ型等様々な足の形状のタイプがある。
測定センサ１５０１〜１５０５は、ユーザの足長（つま先からかかとまでの長さ）とともに、ユーザの足の各指の長さをそれぞれ個別に測定するので、当該ユーザの足の形状がどのようなタイプであっても、当該足の形状に合った履物を提供することができるようになっている。
【００５６】
身体測定装置１０における各測定センサ１５０１〜１５０５及び基材１００は伸縮可能な素材から構成されており、ユーザがソックスを履くように自身の足に身体測定装置１０を装着すると、足指先が身体測定装置１０の本体部１の指先部分内側に当接しながら、ユーザの各指の長さに応じて、測定センサ１５０１〜１５０５がつま先側の基材１００とともにつま先方向（帯状の測定センサの帯長さ方向）に伸長すると、電極の面積Ｓは拡張し、電極間の距離ｄは小さくなり、それに伴って静電容量は増加する。
制御部１１は、上記説明した伸縮型の測定センサ１２００の場合と同様の方法により、測定センサ１５０１〜１５０５における静電容量の値又はその変化量（増加量）を算定する。
身体測定装置１０は、その算定した測定センサ１５０１〜１５０５の静電容量の値を示す情報をユーザ端末２０へ送信する。
ユーザ端末２０は、その身体測定装置１０から受信した測定センサ１５０１〜１５１１の静電容量の値に基づいて、ユーザの足の各指の長さ及びつま先の形状を特定する。
【００５７】
（測定センサ１５０６〜１５１１）
測定センサ１５０６〜１５１１は、足底の中央部からかかと側にかけて足底全体をカバーするように配置されている。図の例では、測定センサ１５０６，１５０７は足底の中央部、測定センサ１５０８，１５０９は足底のアーク部（土踏まず部分）、測定センサ１５１０，１５１１は足底のかかと部にそれぞれ対応するように配置されている。
制御部１１は、上記説明した圧力型の測定センサ１１００の場合と同様の方法により、測定センサ１５０６〜１５１１の静電容量又はユーザの足裏からの圧力により変化した静電容量を算定する。
身体測定装置１０はその算定した静電容量の値を示す情報をユーザ端末２０へ送信する。
ユーザ端末２０は、その身体測定装置１０から受信した測定センサ１５０６〜１５１１静電容量の値に基づいて、ユーザの足裏のサイズ及び形状を特定する。
本実施の形態の例では、複数の測定センサ１５０６〜１５１１のユーザの足裏の圧力を測定しているが、単数の測定センサにより測定するようにしてもよい。
【００５８】
（測定センサ１５２１〜１５２４）
身体測定装置１０は、本体部１において、足底の長さ（足長）方向（かかとからつま先へ至る方向）に略直交する足の断面の周方向（足囲方向）に沿って環状の伸縮型の測定センサが設けられている。
当該環状の伸縮型の測定センサは、上述した帯状の伸縮型の測定センサ１２００の帯長さ方向の両端を接続して環状に形成したものである。
図８は、本発明の第１の実施の形態における身体測定装置１０の本体部１の足囲方向の測定センサの取付け位置の一例を示す側面図である。
また、図９は、本発明の第１の実施の形態における身体測定装置１０の本体部１の足囲方向の測定センサの取付け位置の一例を示す平面図である。
図に示すように、足のつま先からかかと方向に向かって、ボール、ウェスト、インステップ、ヒールの位置の足囲方向（周方向）に環状の伸縮型の測定センサ１５２１，１５２２，１５２３，１５２４がそれぞれ設けられている。
【００５９】
環状の測定センサ１５２１〜１５２４は、一般的な足囲のサイズよりその周長が短く構成されている。
ユーザは、ソックス状の身体測定装置１０を履いて自身の足に装着すると、ユーザの足のサイズ及び形状に従って、本体部１の表面外周に沿って配置されている環状の測定センサ１５２１〜１５２４が伸長し、各測定センサ１５２１〜１５２４の静電容量の値が変化する。
上記方法と同様の方法で、制御部１１は、各測定センサ１５２１〜１５２４の静電容量の値を算定する。
身体測定装置１０はその算定した静電容量の値を示す情報をユーザ端末２０へ送信する。
ユーザ端末２０は、その身体測定装置１０から受信した各測定センサ１５２１〜１５２４の静電容量の値に基づいて、ユーザの足のボール、ウェスト、インステップ、ヒールの位置の周方向の長さを特定する。
【００６０】
図１０は、本発明の第１の実施の形態における環状の伸縮型の測定センサの他の例を示す図である。
上述した環状の伸縮センサは、環状の全周にわたって伸縮性の電極及び誘電膜が設けられたものであったが、図１０に示す他の例の測定センサは、その環状の一部が伸縮性の電極及び誘電膜により構成され、他の部分は非伸縮性の素材により構成されている。
当該伸縮性の電極及び誘電膜の両端と、非伸縮性の素材の両端とは接続されて環状を形成している。
図１０に示す他の例の環状の測定センサは、一部のみが伸長し、その伸長による静電容量の値の変化により測定センサ全体の長さが制御部１１により検出される。
このように、環状の測定センサの一部のみを伸縮性の電極及び誘電膜で構成し、その他の部分を安価な非伸縮性の素材（布素材、繊維）で構成することにより、測定センサの製造コストを大幅に削減することが可能となる。
また、測定センサの一部を非伸縮性の素材で構成することにより、身体測定装置１０の本体部１の強度を一定以上確保することができ、型崩れの発生等を防止することが可能となる。
【００６１】
（３）ユーザ端末２０の構成
ユーザ端末２０は、自身の身体のサイズ及び形状を測定するユーザが操作する情報処理装置であって、例えば、スマートフォン、タブレット型端末、携帯電話機、ＰＤＡ又はＰＣ等である。
【００６２】
図１１は、本発明の第１の実施の形態におけるユーザ端末２０の構成を示すブロック図である。
図に示すように、ユーザ端末２０は、ＣＰＵ等により構成されユーザ端末２０全体を制御する制御部２１と、各種情報を格納する情報格納部２２と、インターネットやＬＡＮ等のネットワークを介して管理サーバ３０と通信を行うとともに、無線ＬＡＮやＢｌｕｅｔｏｏｔｈ（登録商標）等の近距離無線通信等を介して身体測定装置１０と通信を行う通信部２３と、ディスプレイ等に情報の表示を行う表示部２４と、各種キー、タッチパネル又はマイク等により情報の入力を行う操作部２５とを有して構成される。
【００６３】
なお、上述のとおり、ユーザ端末２０は身体測定装置１０との間で近距離無線通信を介して情報の送受信を行うことが好ましいが、有線（ケーブル）を相互に接続して通信を行うようにしてもよい。
【００６４】
情報格納部２２には、各測定センサ１５０１〜１５１１，１５２１〜１５２４の各種データが格納されている。
情報格納部２２は、圧力型の測定センサ１５０６〜１５１１については、各測定センサ１５０６〜１５１１が備える測定センサ１０００の静電容量と測定センサ１０００に加えられた圧力の数値との対応を示すデータと、当該各測定センサ１０００の位置情報（座標）を表すデータとを格納している。
これにより、ユーザ端末２０は、身体測定装置１０から各圧力型の測定センサ１０００の静電容量の値の情報を受信すると、静電容量の値に変化があった測定センサ１０００にはユーザの足裏からの圧力が加わっており、ユーザの足裏が接地していると認識する。
反対に、ユーザ端末２０の制御部２１は、静電容量の値に変化がなかった測定センサ１０００にはユーザの足裏からの圧力が加わらなかった、すなわち、当該測定センサ１０００の位置にユーザの足裏が接地していないと認識する。
このようにして、ユーザ端末２０は、当該足裏の形状を特定することができるようになっている。
また、ユーザ端末２０は、上記当該受信した静電容量の値に基づき、上記データを参照して、どの測定センサ１０００にどれくらいの圧力が加えられたかを求めることができる。これにより、ユーザ端末２０は、例えば所定値以下の圧力が加えられた部分は誤差として無視して処理することもできるし、ユーザの足裏に正確に適合した履物を探し出すこともできる。
【００６５】
情報格納部２２は、伸縮型の測定センサ１５０１〜１５０５，１５２１〜１５２４については、静電容量と測定センサ１２００の伸縮方向の長さの値との対応を示すデータと、当該測定センサ１５０１〜１５０５，１５２１〜１５２４の位置情報（座標）を表すデータとが格納されている。
これにより、ユーザ端末２０は、身体測定装置１０から各伸縮型の測定センサの静電容量の値の情報を受信すると、上記静電容量と測定センサの長さとの対応を示すデータと位置情報のデータを用い、この身体測定装置１０による当該帯方向の伸長に起因する静電容量の変化量に基づいて、測定センサが物理的にどこを基準位置とし、その基準位置からどれくらい伸長したかを検出し、その伸長した程度によって、ユーザの足の指の長さ、つま先の形状及び足の周囲の長さを特定する。
【００６６】
上記のとおり、ユーザ端末２０は、各測定センサ１５０１〜１５１１の静電容量の値を示す情報を近距離無線通信等を介して身体測定装置１０から受信すると、ユーザ端末２０の制御部２１はその静電容量の変化量に基づいて、ユーザの足のサイズ及び形状を特定する。
そして、制御部２１は、その特定した足のサイズ及び形状に基づいて、ユーザの足裏の接地の状態を示す画像情報である接地マップを生成して表示部２４上に表示させる。
【００６７】
図１２は、その本発明の第１の実施の形態における足裏の接地マップの一例を示す図である。
本接地マップは、伸縮型の測定センサ１５０１〜１５０５と圧力型の測定センサ１５０６〜１５１１が計測した静電容量の値に基づいて、以下のように描画される。
図の例では、上述のように、ユーザの足裏のうち指の付け根から指先までの指部分については、測定センサ１５０１〜１５０５の伸長によりその足の指の長さ及び形状について特定され、上記接地マップに描画される。
また、ユーザの足裏のうち指部分を除いた部分（土踏まず部分やかかと部分等）については、各測定センサ１５０６〜１５１１における測定センサ１０００のうち、ユーザの足裏が接地した部分が、その圧力の程度（静電容量の値の程度）に応じて等圧線状に描画されている。
ユーザ端末２０の制御部２１は、足裏において測定センサ１０００が設けられていない領域については、その周辺の１以上の測定センサ１０００の静電容量に基づいて、適宜補完する。その補完方法については、例えば、その周辺の１以上の測定センサ１０００の静電容量の平均値に基づいて等圧線状に描画してもよいし、その他の周知の方法により補完してもよい。
【００６８】
ユーザは、表示部２４上に表示された上記自身の足裏の接地マップを見て、自身の足の形状を容易に把握することが可能となる。
また、ユーザは、操作部２５を用いて、接地マップ上の任意の２点を指定すると、制御部２１は、上記測定センサの位置情報のデータに基づいて当該２点間の長さを計測し、表示部２４上に表示させる。
【００６９】
また、ユーザ端末２０の制御部２１は、上記接地マップにおける足裏の圧力分布に基づいて、足裏の各サイズ（例えば後述の各長さｆｄ１〜ｆｄ４）を計算し、その計算結果を表示部２４上に表示することができる。
図１３は、本発明の第１の実施の形態における上記接地マップに基づいて足裏のサイズを検出した様子を示す図である。
図１３の例では、かかとから薬指先までの長さ（＝ｆｄ１）、かかとから中指先までの長さ（＝ｆｄ２）、かかとから人差し指先までの長さ（＝ｆｄ３）及びアーク（土踏まず）の長さ（＝ｆｄ４）がそれぞれ検出され、示されている。
かかとから各指先までの長さｆｄ１〜ｆｄ３を検出することで、ローマ型等の様々な指の長さによる足の形状に合った履物を容易に見つけることができる。
また、アークの長さｆｄ４を検出することで、足の形状に合った履物を容易に見つけ出し、靴擦れ等を防止することができる。
【００７０】
図１４は、本発明の第１の実施の形態におけるかかとから薬指先までの長さｆｄ１の算出方法の一例を示す図である。
以下、図を用いて、かかとから薬指先までの長さｆｄ１の算出方法について説明する。
【００７１】
ユーザのかかと部分の最端部の位置は、測定センサ１５１０，１５１１において圧力が検出された位置のうちかかと方向の最端部の座標である。
【００７２】
薬指先の最端部の位置座標については以下のように求められる。
薬指先の最端部の足長方向の座標は、伸縮型の測定センサ１５０１〜１５０５と圧力型の測定センサ１５０６，１５０７との境界線上の足長方向の座標に対し、測定センサ１５０２の伸長した長さの分を合算して求められる。
また、薬指先の最端部の足幅方向の座標は、測定センサ１５０２の足幅方向の任意の点、例えば長方形形状の測定センサ１５０２の足幅方向の中点の座標が採用される。
【００７３】
以上のように求められたかかと部分の最端部の座標と薬指先の最端部の座標とを結ぶ線分の長さが、かかとから薬指先までの長さｆｄ１として算出される。
【００７４】
上記かかとから薬指先までの長さｆｄ１の算出方法と同様に、かかとから中指先までの長さｆｄ２及びかかとから人差し指先までの長さｆｄ３が算出される。かかとから中指先までの長さｆｄ２の場合は測定センサ１５０２に替わって測定センサ１５０３が用いられ、かかとから人差し指先までの長さｆｄ３の場合は測定センサ１５０４が用いられる。
【００７５】
アーク（土踏まず）の長さｆｄ４は以下のように求められる。
上述のとおり、圧力型の測定センサ１５０６〜１５１１は、ユーザの足裏から受ける圧力を計測する。
図１３の例に示すように、足球部分及びかかと部分から受ける圧力は、それぞれ所定の圧力値を示す等圧線（閉曲線）を形成する。
そして、図１３において、足球部分を示す所定の圧力値を示す等圧線（閉曲線）のうち、斜線で塗られている等圧線（閉曲線）における足長方向の最もかかと側に位置する点と、かかと部分を示す所定の圧力値を示す等圧線（閉曲線）のうち、斜線で塗られている等圧線（閉曲線）における足長方向の最もつま先側に位置する点との間の距離が、アーク（土踏まず）の長さｆｄ４として求められる。
【００７６】
ユーザ端末２０は、上記のとおり各測定センサ１５２１〜１５２４の静電容量の値を示す情報を近距離無線通信等を介して身体測定装置１０から受信すると、ユーザ端末２０の制御部２１はその静電容量の変化量に基づいて、各測定センサ１５２１，１５２２，１５２３，１５２４それぞれの伸長後の長さｆｄ２１，ｆｄ２２，ｆｄ２３，ｆｄ２４、すなわち、ユーザの足の各部位の外周の長さを検出する。
【００７７】
以上のように、測定センサ１５２１〜１５２４は、ユーザの足の長さ方向に略直交する断面の各外周を測定するので、ユーザの足のサイズ及び形状に合った履物を容易に見つけることが可能となる。
特に、足のインステップ部分の外周を測定する測定センサ１５２３と、上述した足底のアーク部（土踏まず部分）を測定する測定センサ１５０８，１５０９との測定値の組み合わせにより、ユーザの足のアーク部分のサイズ及び形状を詳細に検出し、当該アークのサイズ及び形状に合った履物を容易に見つけ出して、靴擦れの発生を抑制することが可能となる。
【００７８】
（４）管理サーバ３０の構成
管理サーバ３０は、ユーザ端末２０から送信されるユーザ測定情報を登録して管理するとともに、複数の靴等の履物のサイズ等を示す履物情報を予め格納し、当該受信したユーザ測定情報に基づき、履物情報を参照して、ユーザの足のサイズ及び形状に合った履物を検索し、その検索結果をユーザ端末２０へ提供する情報処理装置である。
【００７９】
図１５は、本発明の第１の実施の形態における管理サーバ３０の構成を示すブロック図である。
図に示すように、管理サーバ３０は、ＣＰＵ等により構成され管理サーバ３０全体を制御する制御部３１と、ユーザ測定情報及び履物情報等を格納する情報格納部３２と、インターネットやＬＡＮ等のネットワークを介してユーザ端末２０と通信を行う通信部３３とを有して構成される。
【００８０】
管理サーバ３０の情報格納部３２は、ユーザを識別するユーザＩＤに対応付けて、ユーザ測定情報を管理するデータベースであるユーザ測定ＤＢ３２１と、履物を識別する履物ＩＤに対応付けて、履物のサイズ情報を管理するデータベースである履物ＤＢ３２２とを格納する。
【００８１】
ユーザ測定ＤＢ３２１において管理されるユーザ測定情報としては、上述した各測定センサ１５０１〜１５１１，１５２１〜１５２４が測定するユーザの足の各サイズ情報ｆｄ１〜ｆｄ４，ｆｄ２１〜ｆｄ２４及び圧力分布（接地マップ）の情報等である。
履物ＤＢ３２２は、上記足の各サイズ情報ｆｄ１〜ｆｄ４，ｆｄ２１〜ｆｄ２４に対応する各履物のサイズ情報を管理する。
【００８２】
図１６は、本発明の第１の実施の形態におけるユーザ測定ＤＢ３２１のデータ構成の一例を示す図である。
ユーザ測定ＤＢ３２１には、各ユーザのサイズ情報ｆｄ１，ｆｄ２，ｆｄ３，ｆｄ４，ｆｄ２１，ｆｄ２２，ｆｄ２３，ｆｄ２４・・・（ｆｄ２１以下図では省略）が登録されている。
また、この図１６の例には表れていないが、上述のように接地マップの情報等も各ユーザごとにユーザ測定ＤＢ３２１に登録されている。
【００８３】
履物ＤＢ３２２は、予め所定の方法で測定された履物のサイズ情報と、その他履物に関する情報（履物の形状、色、デザイン、種類、メーカー、価格、画像情報、ネットショップにおける履物の販売ページのＵＲＬ等）とが履物ＩＤに対応付けられて登録されている。
【００８４】
図１７は、本発明の第１の実施の形態における履物ＤＢ３２２のデータ構成の一例を示す図である。
履物ＤＢ３２２には、各履物のサイズ情報ｆｄ１，ｆｄ２，ｆｄ３，ｆｄ４，ｆｄ２１，ｆｄ２２，ｆｄ２３，ｆｄ２４・・・（ｆｄ２１以下図では省略）が登録されている。
また、各サイズ情報ごとにその検索範囲についても登録されている。各検索範囲には対応する上記サイズ情報の数値が含まれている。例えば、履物ＩＤ「０００１」のサイズ情報ｆｄ１は「２６．４」であり、その検索範囲は括弧内の「２６．０〜２６．８」であるので、管理サーバ３０は、サイズ情報ｆｄ１が「２６．０〜２６．８」の範囲内のユーザに対して当該履物が適合する可能性があると判断する。
また、この図１７の例には表れていないが、上記履物に関する様々な情報も各履物ごとに履物ＤＢ３２２に登録されている。
【００８５】
管理サーバ３０は、ユーザ測定情報におけるユーザの足のサイズ情報が履物のサイズ情報の検索範囲内に含まれる履物を検索し、そのような履物が検索された場合には、当該履物はユーザの足のサイズや形状に適合したと判断する。
【００８６】
管理サーバ３０は、ユーザ測定情報をユーザ端末２０から受信すると、制御部３１は、その受信したユーザ測定情報をユーザ測定ＤＢ３２１に登録する。
また、制御部３１は、履物ＤＢ３２２を参照し、上記ユーザ測定ＤＢ３２１に登録されたユーザ測定情報に含まれるサイズ情報に適合した履物を検索し、該検索結果の情報（履物検索結果情報）をユーザ端末２０へ送信する。
ユーザ端末２０は、履物検索結果情報を管理サーバ３０から受信すると、当該受信した履物検索結果情報を表示部２４上に表示する。
ここで、履物検索結果情報としては例えば、ユーザ端末２０から管理サーバ３０へ送信されたユーザ測定情報における計測したユーザの足のサイズ及び形状に合致した履物、又は所定値範囲内の近いサイズ及び形状の履物が表示される。
ユーザは、その表示された検索結果情報を閲覧して自身の足に合った履物の情報を知ることができ、履物購入の際の参考にすることが可能となる。
【００８７】
〔３〕第１の実施の形態の動作
次に、本発明の第１の実施の形態における身体測定システムによるユーザの足のサイズ等の測定動作について説明する。
図１８，１９は、本発明の第１の実施の形態における身体測定システムによるユーザの足のサイズ等の測定動作の流れを示すシーケンスチャートである。
以下、本図に沿って、当該測定動作の説明を進める。
【００８８】
まず、ユーザはソックス状の身体測定装置１０を履いて自身の足に装着する（ステップＳ１０１）。
【００８９】
次に、ユーザは身体測定装置１０の所定のスイッチ（図示せず）を操作してＯＮにすると（ステップＳ１０２）、身体測定装置１０とユーザ端末２０との間の近距離無線通信が確立する（ステップＳ１０３）。
この近距離無線通信の確立方法については、公知技術を用いるものであるので、その詳細は省略する。
【００９０】
身体測定装置１０とユーザ端末２０との間の近距離無線通信が確立すると、ユーザは履いた方の足を床から上げて接地していない状態で、ユーザ端末２０の操作部２５を操作し、測定基準値の測定開始を入力する（ステップＳ１０４）。
この測定基準値とは、ユーザが接地していない状態における各圧力型の測定センサ１５０６〜１５１１の静電容量の計測値である。
【００９１】
上記のように測定基準値の測定開始が入力されると、ユーザ端末２０は、身体測定装置１０に対して当該測定基準値の測定開始要求を送信する（ステップＳ１０５）。
身体測定装置１０は、上記測定基準値の測定開始要求をユーザ端末２０から受信すると、上記床に接地していない状態で圧力型の測定センサ１５０６〜１５１１の測定基準値を計測し（ステップＳ１０６）、該計測した測定基準値をユーザ端末２０へ送信する（ステップＳ１０７）。
【００９２】
ユーザ端末２０は、上記測定センサ１５０６〜１５１１により計測された測定基準値の情報を受信すると、制御部２１は、上記静電容量と圧力値の対応を示すデータに基づいて、当該受信した測定基準値（静電容量）を圧力値に変換し、これを足裏の圧力の基準値（圧力基準値）として情報格納部２２に一旦記憶する（ステップＳ１０８）。
【００９３】
次に、ユーザは自身の足を床に接地した状態で、ユーザ端末２０の操作部２５を操作して測定を開始する（ステップＳ１０９）。
すると、ユーザ端末２０は、身体測定装置１０に対して測定開始要求を送信する（ステップＳ１１０）。
身体測定装置１０は、上記測定開始要求をユーザ端末２０から受信すると、上記床に設置している状態で測定センサ１５０１〜１５１１，１５２１〜１５２４の静電容量の値を計測し（ステップＳ１１１）、該測定値をユーザ端末２０へ送信する（ステップＳ１１２）。
【００９４】
ユーザ端末２０は、上記測定センサ１５０１〜１５１１，１５２１〜１５２４の静電容量の測定値を受信すると、制御部２１は、上記静電容量と測定センサの長さ又は測定センサに加わった圧力値との対応を示すデータに基づいて、当該受信した静電容量の値を測定センサが伸長した長さ及び圧力値に変換し、このうち、当該変換した圧力値から上記圧力基準値を減算する（ステップＳ１１３）。
すなわち、ユーザが足を接地させた状態の圧力値と接地させていない状態の圧力値の差分をとり、当該差分の値をユーザの足裏からの最終的な圧力値とする。
【００９５】
次に、制御部２１は、上記測定センサ１５０１〜１５０５，１５２１〜１５２４の静電容量が示す長さの値と、測定センサ１５０６〜１５１１の上記最終的な圧力値とに基づいて、ユーザの足裏の接地マップを生成してユーザの足の形状を特定し、表示部２４上に表示する（ステップＳ１１４）。
【００９６】
次に、制御部２１は、上記接地マップが示すユーザの足の形状に基づいて、当該足の各部位のサイズの値（ｆｄ１〜ｆｄ４，ｆｄ２１〜ｆｄ２４等）を算出し、表示部２４上に表示する（ステップＳ１１５）。
ここで、各部位のサイズの値は、上記接地マップと重畳して表示部２４上に表示されるようにしてもよい。
ユーザは、表示部２４上に表示された接地マップ及び足の各部位のサイズの値を閲覧して、自身のサイズ及び形状を容易に確認することができる。
【００９７】
次に、ユーザは、ユーザ端末２０の操作部２５を操作して、上記ユーザの足のサイズ及び形状を含む上記ユーザ測定情報を管理サーバ３０へ送信する（ステップＳ１１６）。
管理サーバ３０は、上記ユーザ測定情報をユーザ端末２０から受信すると、当該受信したユーザ測定情報をユーザ測定ＤＢ３２１に登録するとともに、履物ＤＢ３２２を参照し、当該登録したユーザ測定情報に含まれるユーザのサイズ情報の条件に適合した履物を検索する（ステップＳ１１７）。
【００９８】
ここで、管理サーバ３０の制御部３１は、上記履物の検索方法として、例えば、ユーザ測定情報におけるサイズ情報ｆｄ１，ｆｄ２，・・・が履物のサイズ情報ｆｄ１，ｆｄ２，・・・よりもプラスマイナス所定値の検索範囲内にある履物を検索する。
例えば、履物ＩＤが「Ｓ０００１」の履物について、サイズ情報ｆｄ１は「２６．４」であり、その検索範囲は「２６．０〜２６．８」である。この場合、サイズ情報ｆｄ１が「２６．０〜２６．８」の範囲内のユーザのユーザ端末２０に対して当該履物を含む検索結果情報が送信される。
本検索において、制御部３１は、好ましくは、全てのサイズ情報ｆｄ１，ｆｄ２，・・・が範囲内にある履物を履物ＤＢ３２２から抽出するが、ない場合には、一部のサイズ情報が範囲内の履物を抽出して、管理サーバ３０は当該履物の情報を含む検索結果情報をユーザ側へ提供するようにしてもよい。
なお、その検索範囲の数値幅はサイズ情報ｆｄ１，ｆｄ２，ｆｄ３，・・・によって任意の検索範囲の幅を予め設定するようにしてもよいし、各履物の素材によって設定するようにしてもよい。
【００９９】
次に、管理サーバ３０の制御部３１は、その検索結果が示された履物検索結果情報をユーザ端末２０へ送信する（ステップＳ１１８）。
ユーザ端末２０は、当該履物検索結果情報を受信すると、表示部２４上に表示する（ステップＳ１１９）。
例えば、ユーザ端末２０の表示部２４に表示される履物検索結果情報の内容として、ユーザのサイズ情報が検索範囲内に適合した履物の一覧や価格、メーカー及び画像等の詳細情報が表示される。
また、履物検索結果情報には、表示される履物を購入するためのネットショップのＷｅｂページのＵＲＬが埋め込まれ、履物検索結果情報上のアイコンをクリック等すると、ユーザ端末２０は、Ｗｅｂサーバ（管理サーバ３０でもよい）へ当該履物購入用のＷｅｂページの取得要求を送信し、当該Ｗｅｂサーバから該当するページを受信すると表示し、その後、履物をネットショップ上で購入できるよう構成されてもよい。
以上で、動作を終了する。
【０１００】
〔４〕第１の実施の形態のまとめ
以上説明したように、本発明の第１の実施の形態における身体測定システムによれば、ユーザはソックスを履くように身体測定装置１０を足に装着するという簡単な操作だけで、伸縮型及び圧力型の測定センサ１５０１〜１５１１，１５２１〜１５２４の静電容量の変化量等に基づいて、足のサイズ及び形状を特定でき、足裏の形状を確認したり、足に合った履物を検索したりすることを容易に行うことが可能となる。
また、身体測定装置１０の各測定センサ１５０１〜１５１１，１５２１〜１５２４は、伸縮自在な素材を用いており、ソックスを脱ぐようにユーザが身体測定装置１０を取り外すと、その形状が復元するので、何度でも足のサイズ等を測定することが可能となる。
【０１０１】
〔５〕第１の実施の形態の変形例
（１）管理サーバ３０が圧力基準値のデータベースを管理
上述の第１の実施の形態では、身体測定装置１０は足を床から浮かした状態で測定基準値を計測し、ユーザ端末２０は、その測定基準値に基づいて圧力基準値を生成し記憶させていたが、本変形例においては、上記圧力基準値について、ユーザ端末２０は、測定時に管理サーバ３０からネットワークを介して受信するよう構成する。
本変形例において、管理サーバ３０は、各身体測定装置１０の測定センサそれぞれの圧力基準値を、各身体測定装置１０個々を識別するための測定装置ＩＤに対応付けて、情報格納部３２に格納されているデータベースで管理している。
【０１０２】
測定開始時に、ユーザ端末２０は、身体測定装置１０との間で近距離無線通信等の通信を確立すると、身体測定装置１０から当該身体測定装置１０個々を識別するための測定装置ＩＤを受信する。
そして、ユーザ端末２０は、その身体測定装置１０から受信した測定装置ＩＤを管理サーバ３０へ送信する。
管理サーバ３０は、当該測定装置ＩＤをユーザ端末２０から受信すると、上記データベースを参照し、当該測定装置ＩＤに対応付けられている圧力基準値を抽出して、ユーザ端末２０へ送信する。
ユーザ端末２０は、該当する身体測定装置１０の各測定センサの圧力基準値を管理サーバ３０から受信すると、その受信した圧力基準値を用いて、上述の第１の実施の形態と同様に、測定を行う。
【０１０３】
このように、本変形例では、管理サーバ３０を圧力基準値は、各収納装置１０の測定センサごとに予めデータベースで管理しており、ユーザ端末２０は、その圧力基準値を用いて身体のサイズ等の測定を行うので、ユーザは、一旦足を床から浮かせる等の動作をすることなく、容易に当該測定を行うことが可能となる。
【０１０４】
（２）管理サーバ３０が静電容量と測定センサの長さ又は測定センサに加わった圧力値との対応を示すデータを管理
上述の第１の実施の形態では、ステップＳ１１３の動作の説明において、ユーザ端末２０は、測定センサ１５０１〜１５１１，１５２１〜１５２４の静電容量の測定値を受信すると、制御部２１は、上記静電容量と測定センサの長さ又は測定センサに加わった圧力値との対応を示すデータに基づいて、当該受信した静電容量の値を測定センサが伸長した長さ及び圧力値に変換していた。
本変形例では、管理サーバ３０が、ユーザ端末２０に代わって、測定センサの静電容量と測定センサの長さ又は測定センサに加わった圧力値との対応を示すデータを格納する。
ユーザ端末２０は測定センサによる静電容量の測定値のデータを身体測定装置１０から受信すると、その静電容量の測定値のデータを管理サーバ３０へ送信する。
管理サーバ３０は、上記静電容量の測定値のデータをユーザ端末２０から受信すると、管理サーバ３０の制御部３１は、上記測定センサの静電容量と測定センサの長さ又は測定センサに加わった圧力値との対応を示すデータに基づいて、当該受信した静電容量の値を測定センサが伸長した長さ及び圧力値に変換する。
【０１０５】
管理サーバ３０の制御部３１は、上述のように、測定センサの静電容量と測定センサの長さ又は測定センサに加わった圧力値との対応を示すデータに基づいて、静電容量の値に基づいて圧力基準値及び圧力値を算出し、その差分をとり、当該差分の値をユーザの足裏からの最終的な圧力値として算出する。
【０１０６】
その後、管理サーバ３０の制御部３１は、上記測定センサ１５０１〜１５０５，１５２１〜１５２４の静電容量が示す長さの値と、測定センサ１５０６〜１５１１の上記最終的な圧力値とに基づいて、ユーザの足裏の接地マップのデータを生成するとともに、当該足の各部位のサイズの値（ｆｄ１〜ｆｄ４，ｆｄ２１〜ｆｄ２４等）を算出し、管理サーバ３０の通信部３３は、これらユーザの足裏の接地マップのデータ及び各部位のサイズの値のデータをユーザ端末２０へ送信する。
【０１０７】
ユーザ端末２０は、上記ユーザの足裏の接地マップのデータ及び各部位のサイズの値のデータを管理サーバ３０から受信すると、表示部２４上に表示する。
ここで、各部位のサイズの値は、上記接地マップと重畳して表示部２４上に表示されるようにしてもよい。
【０１０８】
このように、本変形例では、管理サーバ３０が、ユーザ端末２０に代わって、測定センサの静電容量と測定センサの長さ又は測定センサに加わった圧力値との対応を示すデータを格納するとともに、ユーザの足裏の接地マップのデータ及び各部位のサイズの値のデータを算出し、そして、それらデータをユーザ端末２０へ提供するので、ユーザ端末２０は、上記対応付けられたデータを自身で格納しておく必要はなく、その構成を簡素化することが可能となる。
【０１０９】
（３）足底部２における測定センサの取付け位置の変形例
上述の第１の実施の形態では、図７に示すように、足底部２において、伸縮型又は圧力型の測定センサ１５０１〜１５１１が取り付けられていた。
本変形例では、上記例とは異なる位置に、伸縮型の測定センサ１５４２が設けられる。
【０１１０】
図２０は、本発明の第１の実施の形態の変形例における履物形状の身体測定装置の左足の足底部の測定センサの取付け位置の一例を示す図である。
図に示す本変形例においては、身体測定装置１０の足底部２には、非伸縮性の素材で構成される非伸縮部１５４１，１５４３と、伸縮性の測定センサ１５４２とが設けられる。
図に示すように、非伸縮部１５４１は足底部２のつま先部分を構成し、非伸縮部１５４３は足底部２のかかと部分を構成する。
伸縮性の測定センサ１５４２は、上記非伸縮部１５４１，１５４３間に挟まれるようにその足長方向の両端が当該非伸縮部１５４１，１５４３に結合され、図に示す方向で伸縮可能に構成されている。
なお、本図には表れていないが、測定センサ１５４２は配線を介して検出部１４に接続されており、制御部１１は、上述の第１の実施の形態と同様の方法により、測定センサ１５４２の静電容量の値を算定し、その静電容量の値に基づいて、測定センサ１５４２の伸長した長さを測定する。
【０１１１】
ユーザが、履物形状の身体測定装置１０を自身の足に装着すると、ユーザの足のサイズに合わせて、測定センサ１５４２が図２０の伸縮方向（足長方向）に伸長する。
ここで、ユーザが装着していないときの足底部２のつま先部分からかかと部分までの足長方向の長さをｆｄ２０１とし、ユーザが装着することにより測定センサ１５４２の伸長した長さをｆｄ２０２とすると、ユーザ装着後の足底部２全体の長さは（ｆｄ２０１＋ｆｄ２０２）となる。
ユーザ端末２０は、上記足底部２の足長方向の長さｆｄ２０１の値については予め情報格納部２２に格納されているか、あるいは身体測定装置１０又は管理サーバ３０等から受信して格納する。
ユーザは、身体測定装置１０を装着して、上記測定センサ１５４２の伸長した長さｆｄ２０２を測定すると、ユーザ端末２０は、当該伸長した長さｆｄ２０２と予め取得していた全体の長さｆｄ２０１とを足し合わせ、身体測定装置１０装着時の足底部２全体の長さを算出する。
【０１１２】
このようにして、身体測定装置１０の足底部２の一部のみを伸縮型の測定センサ１５４２で構成し、その他の部分を比較的安価な非伸縮性の素材（布素材、繊維）からなる非伸縮部１５４１，１５４３で構成することにより、身体測定装置１０の製造コストを大幅に削減することが可能となる。
また、足底部２の一部を非伸縮性の素材で構成することにより、当該足底部２の強度を一定以上確保することができ、型崩れの発生等を防止することが可能となる。
【０１１３】
なお、本変形例では、一例として足底部２の土踏まず部分のみを伸縮型の測定センサ１５４２で構成し、他の部分（つま先部分及びかかと部分）は、非伸縮性の素材（非伸縮部１５４１，１５４３）で構成したが、伸縮型の測定センサの配置位置は当該土踏まず部分に限定されず、非伸縮性の素材の配置位置もつま先部分及びかかと部分に限定されないものとする。例えば、かかと部分のみを伸縮型の測定センサで構成し、他の部分は非伸縮性の素材で構成するようにしてもよい。
【０１１４】
（４）測定センサの構成
上述の第１の実施の形態では、測定センサは、２つの電極間に誘電膜が配置される３層構造で構成されるものであった。
本変形例では、電極、誘電膜、電極、誘電膜、電極、・・・と各一対の電極間に誘電膜が配置される３層以上の構造で構成されるものである。この構成においても各電極は配線を介して検出部１４に接続される。
【０１１５】
＜第２の実施の形態＞
〔１〕第２の実施の形態の概要
第１の実施の形態では、各測定センサは、静電容量の変化に基づいて、身体測定装置１０における押圧及び伸長の程度を測定するものであった。
測定センサは、静電容量の他の特性の変化に基づいて、身体測定装置１０における押圧及び伸長を測定し、ユーザの身体のサイズ及び形状を特定するものであってもよい。
以下、特記しない限り、第１の実施の形態と同様であるとして、当該変化する特性の一例として電気抵抗を測定するための測定センサについて説明する。
【０１１６】
〔２〕第２の実施の形態の構成
（１）圧力型の測定センサの構成
図２１は、本発明の第２の実施の形態における身体測定装置１０に用いられる圧力型の測定センサの構成の一例を示す分解図である。
図２２は、本発明の第２の実施の形態における圧力型の測定センサの構成を示す断面側面図である。
図に示すように、本実施の形態における圧力型の測定センサは、互いに電極が対向する一対の電極基盤２１００，２２００を有する。
電極基盤２１００は、フィルム基材２１１０と、当該フィルム基材２１１０上に略平行に配置される複数の電極２１０１〜２１０７と、当該電極２１０１〜２１０７の対向側を被覆する導電性の感圧材２３０１〜２３０７とを有して構成される。
電極基盤２２００は、フィルム基材２２１０と、当該フィルム基材２２１０上に略平行に配置される複数の電極２２０１〜２２０７と、当該電極２２０１〜２２０７の対向側を被覆する導電性の感圧材２４０１〜２４０７とを有して構成される。
電極基盤２１００，２２００は、電極２１０１〜２１０７と電極２２０１〜２２０７とが交差する態様で互いに貼り合わせるようにして構成され、その結果、電極２１０１〜２１０７，２２０１〜２２０７間には感圧材２３０１〜２３０７，２４０１〜２４０７が介在するように設けられる。
【０１１７】
感圧材２３０１〜２３０７，２４０１〜２４０７には導電性物質及び非導電性物質が含まれている。
例えば、その導電性物質には金属（銀、銅、アルミニウム等）、シリコン系又は炭素系等の物質を用いた材料が含まれ、非導電性物質にはポリエステル系樹脂、ポリウレタン系樹脂又はポリアミド系樹脂が含まれる。
また、感圧材２３０１〜２３０７，２４０１〜２４０７は、上記導電性物質及び非導電性物質を含有するインクを両電極２１０１〜２１０７，２２０１〜２２０７の対向面に塗布することで形成するようにしてもよい。
【０１１８】
感圧材２３０１〜２３０７，２４０１〜２４０７の対向側表面は、微粒子状の導電性物質及び非導電性物質が突出して凹凸を形成しており、電極２１０１〜２１０７，２２０１〜２２０７の交差部分に圧力が加えられない状態では、感圧材２３０１〜２３０７，２４０１〜２４０７の表面同士、非接触部分が残されている。
上記交差部分に圧力が加えられると、実質的に感圧材２３０１〜２３０７，２４０１〜２４０７の表面の接触面積が増加することから、その接触した交差部分の抵抗値が減少する。
【０１１９】
測定センサは、当該電極２１０１〜２１０７，２２０１〜２２０７の交差部分の抵抗値を計測する計測器を有し、複数の電極２１０１〜２１０７，２２０１〜２２０７は当該計測器と配線で接続されている。
【０１２０】
（２）伸縮型の測定センサの構成
本実施の形態において、伸縮型の測定センサは、導電性繊維と非導電性繊維とが混紡され伸縮性を備えた合成繊維と、当該合成繊維の伸縮方向（距離測定方向）の両端の抵抗値を計測する計測器とを有して構成される。
導電性繊維は、例えば、カーボン繊維、金属繊維（銀、銅、アルミニウム等）、導電性ポリマから形成された繊維又は導電性素材（導電性フィラー）を含む導電性ポリマ繊維、金属コーティング繊維（銀、銅、アルミニウム等）、あるいはそれらの混合物等が含まれる。
非伝導性繊維は、例えば、ポリエステル系繊維、ポリウレタン系繊維、ポリアミド系繊維又は木綿等が含まれる。
なお、金属コーティング繊維又は導電性素材（導電性フィラー）を含む繊維等は、非導電性繊維と混紡せずに、単独で使用されてもよい。
【０１２１】
伸縮型の測定センサに張力を加えて伸縮方向に伸長させると、測定センサ自体の長さは長くなり、伸長方向と垂直な方向の断面積は小さくなり、その結果、電気抵抗は増加する。
身体測定装置１０は、上記伸縮型の測定センサの電気抵抗値の変化に基づいて、当該測定センサの長さの変化量を測定する。
【０１２２】
〔３〕第２の実施の形態の動作
（１）圧力型の測定センサの動作
本実施の形態における圧力型の測定センサを用いて、当該測定センサに加えられた圧力を計測するときには、上記の計測器は、電極２１０１〜２１０７と電極２２０１〜２２０７との間に電圧を印加し、電極２１０１〜２１０７と電極２２０１〜２２０７との交差部分の抵抗値を計測する。
身体測定装置１０は、当該計測された測定センサの電極の交差部分の抵抗値をユーザ端末２０へ送信する。
【０１２３】
ユーザ端末２０は、測定センサの電極２１０１〜２１０７と電極２２０１〜２２０７との交差部分の抵抗値と交差部分に加えられた圧力の数値との対応を示すデータと、当該各電極の交差部分の位置情報（座標）を表すデータとを格納している。
ユーザ端末２０は、上記電極の交差部分の抵抗値を身体測定装置１０から受信すると、当該データに基づいて、当該受信した抵抗値を電極の交差部分の圧力値に変換するとともに、その圧力が加えられた交差部分の位置を特定する。
【０１２４】
本実施の形態では、第１の実施の形態と同様に、圧力型の測定センサを用いて、ユーザの足裏の形状及びサイズを特定することができる。
【０１２５】
（２）伸縮型の測定センサの動作
上記計測器においては、ユーザが身体測定装置１０を装着し、合成繊維が伸長すると、導電性繊維同士の接触部分が離間し、当該合成繊維の抵抗値が増加する。測定センサがこの増加量を計測することにより、合成繊維の伸長の程度を特定することができる。
身体測定装置１０は、当該計測された合成繊維の抵抗値をユーザ端末２０へ送信する。
ユーザ端末２０は、合成繊維の抵抗値と、合成繊維の伸長方向の長さとの対応を示すデータを格納しており、上記合成繊維の抵抗値を身体測定装置１０から受信すると、当該データに基づいて、当該受信した抵抗値を合成繊維の長さに変換する。
【０１２６】
ユーザ端末２０は、上記導電性繊維と非導電性繊維とが混紡された合成繊維の抵抗値と伸縮方向の長さの値との対応を示すデータと、当該合成繊維を備えた測定センサの位置情報（座標）を表すデータとを格納している。
ユーザ端末２０は、上記合成繊維の抵抗値を身体測定装置１０から受信すると、当該データに基づいて、当該受信した抵抗値を合成繊維の長さに変換するとともに、その合成繊維を備えた測定センサの位置を特定する。
【０１２７】
本実施の形態では、第１の実施の形態と同様に、伸縮型の測定センサを用いて、ユーザの足裏の形状及びサイズと、周囲のサイズを特定することができる。
【０１２８】
〔４〕第２の実施の形態のまとめ
以上説明したように、本発明の第２の実施の形態における身体測定システムは、測定センサの抵抗値を測定し、該抵抗値に基づいてユーザの足裏の圧力や測定センサが備える合成繊維の長さを検出するので、ユーザの足のサイズや形状を容易に特定することが可能となる。
【０１２９】
＜実施の形態のまとめ＞
以上説明したように、本発明の第１の実施の形態における身体測定システムによれば、ユーザはソックスを履くように身体測定装置１０を足に装着するだけで、伸縮型及び圧力型の測定センサの特性変化（静電容量又は抵抗値の変化量等）に基づいて、足のサイズ及び形状を特定でき、足裏の形状を確認したり、足に合った履物を検索したりすることを容易に行うことが可能となる。
【０１３０】
上記の身体測定装置１０、ユーザ端末２０及び管理サーバ３０は、主にＣＰＵとメモリにロードされたプログラムによって実現される。ただし、それ以外の任意のハードウェアおよびソフトウェアの組合せによってこの装置またはサーバを構成することも可能であり、その設計自由度の高さは当業者には容易に理解されるところである。
また、上記の身体測定装置１０、ユーザ端末２０又は管理サーバ３０をソフトウェアモジュール群として構成する場合、このプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【０１３１】
なお、上記の実施の形態は本発明の好適な実施の一例であり、本発明の実施の形態は、これに限定されるものではなく、本発明の要旨を逸脱しない範囲において種々変形して実施することが可能となる。
例えば、第１の実施の形態における測定センサは静電容量に基づいて、第２の実施の形態における測定センサは抵抗値に基づいて、ユーザの身体（足）の形状及びサイズを特定したが、他の電気的特性の変化に基づいて特定するようにしてもよい。
また、測定センサによる静電容量又は抵抗値の測定するための構成についても、本明細書に記載されていない公知のあらゆる技術についても適用することができる。
【０１３２】
また、上記の実施の形態では、ユーザがユーザ端末２０を操作することにより、測定を開始していたが、ユーザが身体測定装置１０に設けられている所定のスイッチ等を操作することにより、測定を開始するように構成してもよい。
【符号の説明】
【０１３３】
１    本体部
２    足底部
３    履き口部
４    測定処理部
１０    身体測定装置
１１，２１，３１    制御部
１２，２２，３２    情報格納部
１３，２３，３３    通信部
１４    検出部
１５    測定部
２０    ユーザ端末
２４    表示部
２５    操作部
３０    管理サーバ
１００    基材
３２１    ユーザ測定ＤＢ
３２２    履物ＤＢ
１０００，１１００，１２００，１５０１〜１５１１，１５２１〜１５２４，１５４２    測定センサ
１００１，１２０１    誘電膜
１００２，１００３，１１２１〜１１２７，１１３１〜１１３７，１２０２，１２０３，２１０１〜２１０７，２２０１〜２２０７    電極
１１１０    誘電膜基盤
１１２０，１１３０，２１００，２２００    電極基盤
１１４１〜１１４７，１１５１〜１１５７    配線
１５４１，１５４３    非伸縮部
２１１０，２２１０    フィルム基材
２３０１〜２３０７，２４０１〜２４０７    感圧材
【図１】
2018108309.tif 000003
【図２】
2018108309.tif 000004
【図３】
2018108309.tif 000005
【図４】
2018108309.tif 000006
【図５】
2018108309.tif 000007
【図６】
2018108309.tif 000008
【図７】
2018108309.tif 000009
【図８】
2018108309.tif 000010
【図９】
2018108309.tif 000011
【図１０】
2018108309.tif 000012
【図１１】
2018108309.tif 000013
【図１２】
2018108309.tif 000014
【図１３】
2018108309.tif 000015
【図１４】
2018108309.tif 000016
【図１５】
2018108309.tif 000017
【図１６】
2018108309.tif 000018
【図１７】
2018108309.tif 000019
【図１８】
2018108309.tif 000020
【図１９】
2018108309.tif 000021
【図２０】
2018108309.tif 000022
【図２１】
2018108309.tif 000023
【図２２】
2018108309.tif 000024